(57)【要約】【課題】使用時には駆動ローラーにハンドルを折り畳んで連結させて回転し、収納時には折り畳んだハンドルを開放して絞り器などの本体にコンパクトに収納することができる折り畳み式手動ハンドルを提供することを課題とする。【解決手段】折り畳み式手動ハンドル１０は、ヒンジ部１０ｃによってコの字状に折り畳まれるように第一の折り畳み式手動ハンドル１０ａと第二の折り畳み式手動ハンドル１０ｂからなっており、第二の折り畳み式手動ハンドル１０ｂの内面には、マグネット１０ｆが延出しており、折り畳むとマグネット１０ｆに対向する第一の折り畳み式手動ハンドル１０ａの磁性体に接着して一体となる。【選択図】図３
0003194200.tif 000002
【実用新案登録請求の範囲】
【請求項１】
回転軸に連結させて手動で駆動するハンドルにおいて、
前記ハンドルは、折り畳み自在とされ、回転させる時は、折り畳んで使用されるとともに折り畳まれたハンドルの対向面の一方にマグネットが配設され、他方が磁性体とされたことを特徴とする折り畳み式手動ハンドル。
【請求項２】
前記ハンドルは、布類を絞る絞り器の駆動ローラーに連結されていることを特徴とする折り畳み式手動ハンドル。
【考案の詳細な説明】
【技術分野】
【０００１】
本考案は、回転軸に連結された手動ハンドルであって、回転させる時は折り畳んで回転させ、収納する時は、伸張させて本体と一体にコンパクトにすることができる折り畳み式手動ハンドルに関するものである。
【背景技術】
【０００２】
以前、たとえば、洗濯機において洗濯物を絞る場合、駆動ローラの中心軸にハンドルを連結させて手動で回動させて一対の絞りローラに挿入された洗濯物を絞っている一槽式洗濯機のローラ絞り装置が提案されている（実用新案文献１参照）。また、魚釣り用リールでは、収納時及び携帯時都等に折畳み、操作時には、リール本体から外方に大きく張り出して操作できるようになっている魚釣り用リールの折畳みハンドルが提案されている（実用新案文献２参照）。
【先行技術文献】
【特許文献】
【０００３】
【特許文献１】実開昭６２−１１７９８８号公報
【特許文献２】実開平０５−  ２０５６０号公報
【考案の概要】
【考案が解決しようとする課題】
【０００４】
しかしながら、実用新案文献１に記載の一槽式洗濯機のローラ絞り装置の従来図には、駆動用ローラの中心軸に連結されているハンドルが記載されているものの使用後に折り畳める構造とはなっていなかった。また、実用新案文献２に記載の魚釣用リ−ルの折畳みハンドルは、ハンドルアームがハンドル主軸に対して回動自在に接続される一方、スライダがバネによって弾発付勢された状態でハンドルアームとハンドル主軸の孔部内を摺動自在に嵌め込まれ、スライダを孔部内でハンドルアーム方向に摺動させることによってハンドルアームの折畳みができるようになっている。
【０００５】
本考案は、上記問題に鑑みてなされたものであって、使用時には駆動ローラーにハンドルを折り畳んで連結させて回転し、収納時には折り畳んだハンドルを開放して布類を絞る絞り器などの本体にコンパクトに収納することができる折り畳み式手動ハンドルを提供することを目的とする。
【課題を解決するための手段】
【０００６】
上記の課題を解決するために請求項１に記載の折り畳み式手動ハンドルは、回転軸に連結させて手動で駆動するハンドルにおいて、前記ハンドルは、折り畳み自在とされ、回転させる時は、折り畳んで使用されるとともに折り畳まれたハンドルの対向面の一方にマグネットが配設され、他方が磁性体とされているものである。
【０００７】
上記の課題を解決するために請求項２に記載の折り畳み式手動ハンドルは、布類を絞る絞り器の駆動ローラーに連結されているものである。
【考案の効果】
【０００８】
請求項１に記載の折り畳み式手動ハンドルは、回転軸に連結させて手動で駆動するハンドルにおいて、前記ハンドルは、折り畳み自在とされ、回転させる時は、折り畳んで使用されるとともに折り畳まれたハンドルの対向面の一方にマグネットが配設され、他方が磁性体とされているので、構造が簡単で折り畳みが容易にできるのでハンドルを簡単に回転させたり収納させたりすることができる。
【０００９】
請求項２に記載の折り畳み式手動ハンドルは、布類を絞る絞り器の駆動ローラーに連結されているので、ハンドルを折り畳んで回転させて濡れた布類をローラーの間に挟んで絞り器で容易に絞ることができる。
【図面の簡単な説明】
【００１０】
【図１】本考案に係る折り畳み式手動ハンドルを折り畳んだ状態の全体斜視図である。
【図２】本考案に係る折り畳み式手動ハンドルを折り畳もうとしている状態の要部斜視図である。
【図３】本考案に係る折り畳み式手動ハンドルを折り畳んだ状態の要部斜視図である。
【図４】本考案に係る折り畳み式手動ハンドルを開放して収納しようとしている状態の全体斜視図である。
【考案を実施するための形態】
【００１１】
以下の実施例にて、本考案に係る折り畳み式手動ハンドルについて詳述する。なお、本考案については、実施例の詳細な説明だけに限定されるものでなく、本考案の要旨を逸脱しない範囲で適宜変更可能である。
【実施例】
【００１２】
本実施例では、濡れた布類をローラーの間に挟んで、一方の駆動ローラーに連結された折り畳み式手動ハンドルを回転させることによって濡れた布類を絞る絞り器について説明する。図１は、本考案に係る折り畳み式手動ハンドルを折り畳んだ状態の全体斜視図であり、図２は、本考案に係る折り畳み式手動ハンドルを折り畳もうとしている状態の要部斜視図であり、図３は、本考案に係る折り畳み式手動ハンドルを折り畳んだ状態の要部斜視図である。図１において、布などを浸した容器を載置するベース２にメインスタンド４を回動するように枢着させる固定部材６とサブスタンド３を着脱自在に係止させるコの字状に形成された係止部材５が設けられている。
【００１３】
メインスタンド４とサブスタンド３の上部の両サイドには、サイドフレーム７，７が設けられ、駆動ローラー８の軸方向の中心に形成された駆動ローラー軸と従動ローラー９の軸方向の中心に形成された従動ローラー軸がサイドフレーム７，７に回転自在に枢着されている。また、駆動ローラー８に対する従動ローラー９の弾接力をバネが内包されたアジャスター１１、１１を上下にストロークさせることによって調整している。一方、駆動ローラー軸の一端には連結部を介して折り畳み式手動ハンドル１０が連結されている。
【００１４】
図２において、折り畳み式手動ハンドル１０は、ヒンジ部１０ｃによってコの字状に折り畳まれるように第一の折り畳み式手動ハンドル１０ａと第二の折り畳み式手動ハンドル１０ｂからなっている。一方の折り畳み式手動ハンドル１０ａは、連結部を介して駆動ローラー軸の一端に連結され、外面には係合ピン１０ｄが延出している。他方の折り畳み式手動ハンドル１０ｂには、延出した係合ピン１０ｄが係合するように係合孔１０ｅが形成されている。また、第二の折り畳み式手動ハンドル１０ｂの内面には、マグネット１０ｆが延出しており、マグネット１０ｆの対向する第一の折り畳み式手動ハンドル１０ａは磁性体になっている。ここでは、マグネット１０ｆが第二の折り畳み式手動ハンドル１０ｂの内面に形成された場合について説明してあるが、第一の折り畳み式手動ハンドル１０ａの内面に形成して対向する第二の折り畳み式手動ハンドル１０ｂを磁性体にしても良い。
【００１５】
図３は、図２の状態からさらに第二の折り畳み式手動ハンドル１０ｂを押し込むと係合ピン１０ｄが係合孔１０ｅに係合するとともに、マグネット１０ｆが第一の折り畳み式手動ハンドル１０ａの磁性体に接着して第一の折り畳み式手動ハンドル１０ａと第二の折り畳み式手動ハンドル１０ｂが一体となる。この状態で折り畳み式手動ハンドル１０を回転させると連結部を介して駆動ローラー軸とともに駆動ローラー８も回転する。
【００１６】
このように左右のサイドフレーム７、７、駆動ローラー８、従動ローラー９、折り畳み式手動ハンドル１０、左右のアジャスター１１、１１から主として絞り機構が構成されている。また、絞り器１は、主としてベース１、メインスタンド２、サブスタンド３、絞り機構から構成されている。
【００１７】
次に、たとえば、熱湯に浸された布類を絞り器１を使って絞る方法について説明する。加熱器の上に水が入った容器を載せてベース２の上に載置する。容器に入った水を加熱器で加熱し、タオルなどの布類を容器内の熱湯に浸す。この浸された布類の一端を駆動ローラー８、従動ローラー９の間に挟んで折り畳み式手動ハンドル１０を回転させて絞られ、熱くて絞られた布類が取り出されて、湿布などとして利用される。また、絞られる布類の厚さに応じて左右のアジャスター１１、１１を上下にアジャストして駆動ローラー８に対する従動ローラー９の弾接力を調整するとともに折り畳み式手動ハンドル１０のトルクを調整する。
【００１８】
図４は、本考案に係る折り畳み式手動ハンドルを開放して収納しようとしている状態の全体斜視図である。通常、絞り器１は、家庭内、病院内、施設内で使用される事が多いため、使用が終わったら邪魔になるため、収納される場合が多い。図２の状態からマグネット１０ｆの磁力に反発する力で第二の折り畳み式手動ハンドル１０ｂを引っ張って図４のような状態になるまでヒンジ部１０ｃ周りに回動させる。
【００１９】
次に、サブスタンド３を引っ張って係止部材５から係止を解除してサブスタンド３をベース２にくぐらせるように折り畳むと、固定部材６、６周りにメインスタンド４も回動してコンパクトに収納される。
【００２０】
本実施例では、濡れた布類をローラーの間に挟んで、一方の駆動ローラーに連結された折り畳み式手動ハンドルを備えた濡れた布類を絞る絞り器について説明してあるが、これに限定されることなく、いろいろな回転させたい機構を有する機器に利用することができる。
【産業上の利用可能性】
【００２１】
熱湯にくぐらせた布類など素手で絞れないような用途に広く利用することができる。
【符号の説明】
【００２２】
１    絞り器
２    ベース
３    サブスタンド
４    メインスタンド
５    係止部材
６    固定部材
７    サイドフレーム
８    駆動ローラー
９    従動ローラー
１０    折り畳み式手動ハンドル
１０ａ    第一の折り畳み式手動ハンドル
１０ｂ    第二の折り畳み式手動ハンドル
１０ｃ    ヒンジ部
１０ｄ    係合ピン
１０ｅ    係合孔
１０ｆ    マグネット
１１    アジャスター
【図１】
0003194200.tif 000003
【図２】
0003194200.tif 000004
【図３】
0003194200.tif 000005
【図４】
0003194200.tif 000006
【手続補正書】
【提出日】平成26年9月4日(2014.9.4)
【手続補正１】
【補正対象書類名】実用新案登録請求の範囲
【補正対象項目名】請求項２
【補正方法】変更
【補正の内容】
【請求項２】
前記ハンドルは、布類を絞る絞り器の駆動ローラーに連結されていることを特徴とする請求項１記載の折り畳み式手動ハンドル。